(57)【特許請求の範囲】
【請求項１】
高周波成分を有する電圧で運転され、主絶縁層の表面にコロナシールド層を形成した固定子コイルを、固定子鉄心に形成したスロット内にスロットライナを介して装着した回転電機において、
スロット外に延在した固定子コイルのコイルエンド部のスロットライナとコロナシールド層との間に、前記スロットライナの端部外周を緊縛して充電電流の流路を確保する緊縛体を設け、かつ、前記緊縛体と前記コロナシールド層との間に、離型材が介在されていることを特徴とする回転電機。
【請求項２】
高周波成分を有する電圧で運転され、主絶縁層の表面にコロナシールド層を形成した固定子コイルを、固定子鉄心に形成したスロット内にスロットライナを介して装着した回転電機において、
スロット外に延在した前記固定子コイルのコイルエンド部のスロットライナとコロナシールド層との間に、前記スロットライナの端部外周を緊縛して充電電流の流路を確保する緊縛体を設け、かつ、前記緊縛体と該緊縛体が接する前記スロットライナとの間に、離型材が介在されていることを特徴とする回転電機。
【請求項３】
前記緊縛体は、前記コロナシールド層と同等の抵抗率を有することを特徴とする請求項１又は２に記載の回転電機。
【発明の詳細な説明】
【技術分野】
【０００１】
本発明は電動機や発電機などの回転電機に係り，特に、高周波成分を有する電圧で駆動される回転電機に関する。
【背景技術】
【０００２】
近年、回転電機は、運転効率を高めるために高周波成分を有する電圧で稼動されている。そして、特許文献１に開示のように、固定子コイルの主絶縁層の表面をコロナシールド層で被覆し、この固定子コイルを固定子鉄心に形成したスロット内に導電性のスロットライナを介して装着し、ウェッジによって固定している。
【先行技術文献】
【特許文献】
【０００３】
【特許文献１】特開平１０−１７４３３４号公報
【発明の概要】
【発明が解決しようとする課題】
【０００４】
上記特許文献１に記載の回転電機の固定子コイルにおいては、固定子鉄心のスロット内のコロナシールド層とスロットライナとの接触は比較的良好に保持されているので、コロナシールド層とスロットライナとはほぼ全域に亘って接触し、その結果、入力電圧の電圧変化分に比例した充電電流が全域に亘って分散される。
【０００５】
しかしながら、固定子鉄心のスロット端から張出した固定子コイルのコイルエンド部のコロナシールド層とスロットライナとの接触は、製作条件に起因するスロットライナの反り返りやうねりのために部分接触することがある。そのため、入力電圧の電圧変化分に比例した充電電流がコロナシールド層とスロットライナとの部分接触部分に集中して流れるので、局所的に電流密度が高くなってコロナシールド層を焼損させることが懸念される。
【０００６】
本発明の目的は、簡単な手段によって固定子鉄心のスロット外に延在するコロナシールド層の焼損を防止し得ると共に、スロットライナやコロナシールド層の損傷が防止できる回転電機を提供することにある。
【課題を解決するための手段】
【０００７】
本発明の回転電機は、上記目的を達成するために、高周波成分を有する電圧で運転され、主絶縁層の表面にコロナシールド層を形成した固定子コイルを、固定子鉄心に形成したスロット内にスロットライナを介して装着した回転電機において、スロット外に延在した固定子コイルのコイルエンド部のスロットライナとコロナシールド層との間に、前記スロットライナの端部外周を緊縛して充電電流の流路を確保する緊縛体を設け、かつ、前記緊縛体と前記コロナシールド層との間に、離型材が介在されているか、或いは前記緊縛体と該緊縛体が接する前記スロットライナとの間に、離型材が介在されていることを特徴とする。
【０００８】
上記構成とすることで、スロットライナに反り返りやうねりが生じてコロナシールド層との間で部分接触しても、緊縛体によって確保された流路にも充電電流が流れるので、部分接触部分に集中して充電電流が流れるのを防止することができ、充電電流の集中によるコロナシールド層の焼損を防止できる効果を奏するほか、発生する応力を離型材により緩和することができ、スロットライナやコロナシールド層の損傷を防止することができる。
【発明の効果】
【０００９】
本発明によれば、簡単な手段によって固定子鉄心のスロット外に延在するコロナシールド層の焼損を防止し得ると共に、スロットライナやコロナシールド層の損傷を防止できる回転電機を得ることができる。
【図面の簡単な説明】
【００１０】
【図１】本発明による回転電機の第１の参考例を示す固定子コイルのコイルエンド部近傍の概略縦断側面図。
【図２】図１のスロットライナ端部を示す拡大斜視図。
【図３】本発明による回転電機の第２の参考例を示す図１に相当する図。
【図４】本発明による回転電機の第１の実施の形態を示す図１に相当する図。
【図５】本発明による回転電機の第２の実施の形態を示す図１に相当する図。
【図６】本発明による回転電機の第３の参考例を示す図１に相当する図。
【図７】本発明による回転電機の第４の参考例を示す図２に相当する図。
【図８】高周波成分を有する電圧で運転される回転電機の固定子を示す斜視図。
【図９】図８のコイルエンド部を示す拡大斜視図。
【発明を実施するための形態】
【００１１】
以下、本発明による回転電機の第１の参考例を図１、図２、図８及び図９に示す電動機に基づいて説明する。
【００１２】
電動機１は、大きくは、回転子２と、この回転子２の外径側に空隙を介して対向する固定子３とで構成されている。
【００１３】
回転子２は、回転軸４に支持された回転子鉄心とこの回転子鉄心に装着された回転子巻線とを有する。
【００１４】
一方、固定子３は、電磁薄鋼板を積層して構成した固定子鉄心５と、この固定子鉄心５の内径側に軸方向に沿い周方向に複数形成されスロット６と、これら複数のスロット６内に装着された複数の固定子コイル７と、前記固定子鉄心５の外径側を支持する固定子枠８と、この固定子枠８の軸方向両端部に固定される図示しない端板と、この端板に前記回転軸４を支承する図示しない軸受とを有する。
【００１５】
前記固定子コイル７は、コイル導体９と、このコイル導体９の表面に形成した主絶縁層１０とを有している。また、固定子コイル７は、前記固定子鉄心５のスロット６内に装着される直線部７Ａと、スロット６外に張出したコイルエンド部７Ｂとから構成されている。
【００１６】
前記スロット６内に固定子コイル７の直線部７Ａを装着する際、上下方向に隣接する固定子コイル７間に絶縁材１１を介し、さらに、上下方向に隣接した固定子コイル７を一纏めにしてスロットライナ１２で覆った状態で装着し、スロット６の開口側にウェッジ１３を嵌着して固定子コイル７を強固に支持している。
【００１７】
尚、固定子コイル７のスロット６内に装着される直線部７Ａの主絶縁層１０の外周には、固定子鉄心５と固定子コイル７間のコロナ放電を防止する目的で、コロナシールド層１４が被覆されている。また、固定子コイル７のコイルエンド部７Ｂにおいては、コロナシールド層１４のスロット６外に張出した端部での電界集中によって沿面放電が発生し、これによって主絶縁層１０を劣化させる虞があるので、コロナシールド層１４の端部を覆って固定子鉄心５から離れる方向に高抵抗コロナシールド層１５を被覆している。
【００１８】
このような固定子コイル７を高周波電源１６に接続して電動機１を駆動させている。
【００１９】
以上のように構成することで、スロット６内においては、主絶縁層１０とコロナシールド層１４とスロットライナ１２とは夫々ほぼ全域に亘って密着して装着されており、スロット６に十分に接触させることができる。そのため、入力電圧の電圧変化分に比例した充電電流が全域に亘って分散されるので、充電電流の集中する部分はなく、充電電流の集中によるコロナシールド層１４の焼損は固定子コイル７の直線部７Ａには存在しない。
【００２０】
しかしながら、固定子鉄心５のスロット６の端から張出した固定子コイル７のコイルエンド部７Ｂのコロナシールド層１４とスロットライナ１２との接触は、製作条件に起因するスロットライナ１２の反り返りやうねりのために部分接触することがある。その結果、入力電圧の電圧変化分に比例した充電電流が部分接触部分に集中して流れるので、コロナシールド層１４を焼損させることが懸念される。
【００２１】
そこで、本参考例は、スロットライナ１２に反り返りやうねりが生じても、固定子鉄心５のスロット６の端から張出したコロナシールド層１４とスロットライナ１２との間に部分接触が少なくなるように、積極的に充電電流流路確保手段によって充電電流の流路を形成したことを特徴とする。
【００２２】
充電電流流路確保手段による充電電流の流路確保の具体例として、図１及び図２に示すように、スロットライナ１２の端部を、ガラスクロステープやガラスロービング或いは熱収縮性テープ等の緊縛体１７で緊縛してスロットライナ１２をコロナシールド層１４上に密着させたのである。尚、緊縛体１７の電気的特性としては、絶縁性から半導電性や導電性に至る材料、さらには、非線形抵抗特性を有する材料が適用できるが、望ましくは、スロットライナ１２と同等の抵抗率を有する材料が望ましい。例えば、緊縛体１７としてガラスクロステープを用いる場合には、ガラスクロステープにスロットライナ１２と同等の抵抗率を有する半導電性の熱硬化性樹脂を含浸させて半硬化状にしたプリプレグテープを巻付け、その後、半導電性の熱硬化性樹脂を加熱硬化させて固めている。
【００２３】
このような緊縛体１７を用いることで、スロットライナ１２とコロナシールド層１４との密着性が向上し、従来において部分接触していたことによって集中していた両者間を流れる充電電流を新たな流路に分散して流すことができ、その結果、充電電流の集中によるコロナシールド層１４の焼損を防止することができる。
【００２４】
ところで、本参考例においては、スロット６外に張出したスロットライナ１２の端部にのみ緊縛体１７を施したが、スロット６外に張出したスロットライナ１２の全長に渡って緊縛体１７を施しても良い。
【００２５】
さらに、全ての固定子コイル７のコイルエンド部７Ｂにおいてスロットライナ１２の端部外周に緊縛体１７を設けることが望ましいが、特に、インバータ制御における電動機への入力波形の印加電圧及び印加電圧の立上り、あるいは立下り時の電圧変化成分が極端に大きくなければ、インバータとの接続部から最初の１本或いは複数本の固定子コイル７にのみ適用してもよい。
【００２６】
次に、本発明による回転電機の第２の参考例を、図３に示す電動機の固定子コイルのコイルエンド部に基づいて説明する。尚、図１、図２、図８、図９と同一符号は、同一構成部材を示すので、再度の詳細な説明は省略する。
【００２７】
本参考例において、第１の参考例と異なる点は、緊縛体１８の設置構成である。即ち、本参考例においては、反り返りやうねりが生じ易いスロットライナ１２の端部近傍と、スロットライナ１２の端部近傍に対向するコロナシールド層１４とに連続して緊縛体１８を施工したことを特徴とする。具体的には、ガラスクロステープにスロットライナ１２と同等の抵抗率を有する半導電性の熱硬化性樹脂を含浸させて半硬化状にしたプリプレグテープを、スロットライナ１２の端部とその近傍のコロナシールド層１４に巻付け、その後、半導電性の熱硬化性樹脂を加熱硬化させて固めたものである。
【００２８】
このように構成することで、スロットライナ１２とコロナシールド層１４との密着性が向上し、その結果、第１の参考例と同様に、両者間を流れる充電電流の電流流路を分散でき、充電電流の集中によるコロナシールド層１４の焼損を防止することができる。
【００２９】
さらに、本参考例においては、スロットライナ１２の端部とコロナシールド層１４との間が緊縛体１８で封止されるので、スロットライナ１２の端部とコロナシールド層１４との隙間に飛散異物の侵入による両者間の剥離が防止でき、密着信頼性を向上させることができる。
【００３０】
尚、本参考例においては、スロットライナ１２の端部とその近傍のコロナシールド層１４に緊縛体１８を施したが、固定子鉄心５のスロット６から張出したスロットライナ１２全長に亘って緊縛体１８を施してもよい。そのとき、緊縛体１８と固定子鉄心５とが接触する可能性がある場合には、予め、離型材等で緊縛体１８と固定子鉄心５との接着を防止し、固定子鉄心５と緊縛体１８との間に、コイル導体９の熱伸縮に伴う圧縮応力や引つ張り応力が作用しないようにすることが望ましい。
【００３１】
図４は、本発明による回転電機の第１の実施の形態である電動機の固定子コイルのコイルエンド部を示す。本実施の形態において、図１〜図３、図８、図９と同一符号は、同一構成部材を示すので、再度の詳細な説明は省略する。
【００３２】
本実施の形態は、図３に示す第２の参考例と基本的には同じである。しかし、本実施の形態では、さらに改善して、スロットライナ１２の端部近傍に対向するコロナシールド層１４と緊縛体１８との間に、離型材１９を設けたことを特徴とする。このように構成することで、前記各参考例と同等の効果を奏するほか、スロットライナ１２やコロナシールド層１４の損傷を防止することができる。
【００３３】
即ち、緊縛体１８とスロットライナ１２とコロナシールド層１４の夫々が、緊縛体１８の半硬化状熱硬化性樹脂を介して強固に接着した場合、固定子コイル７の配置時やコイルエンド部７Ｂの結線時、或いは電動機運転時などに、スロットライナ１２とコロナシールド層１４の間に圧縮応力や引っ張り応力が作用してスロットライナ１２やコロナシールド層１４を損傷させる虞がある。しかしながら、コロナシールド層１４と緊縛体１８との間に離型材１９を配置することで、発生する圧縮応力や引っ張り応力を摺動させて緩和させることができ、スロットライナ１２やコロナシールド層１４の損傷を防止することができる。尚、離型材１９の抵抗特性は、スロットライナ１２やコロナシールド層１４と同等にすることが望ましい。
【００３４】
図５は、本発明による回転電機の第２の実施の形態である電動機の固定子コイルのコイルエンド部を示す。本実施の形態において、図１〜図４、図８、図９と同一符号は、同一構成部材を示すので、再度の詳細な説明は省略する。
【００３５】
本実施の形態は、図３に示す第２の参考例と基本的に同じ構成をしているが、本実施の形態では、さらに改善して、スロットライナ１２の端部とその近傍に対向するコロナシールド層１４に設けた緊縛体１８のうち、緊縛体１８が接するスロットライナ１２との間に、離型材２０を設けたことを特徴とする。このように構成することで、第１の実施の形態と同等の効果を奏することができる。即ち、上記構成とすることで、緊縛体１８はスロットライナ１２とコロナシールド層１４の間に圧縮応力や引っ張り応力が作用しても、緊縛体１８が接するスロットライナ１２との間に、離型材２０を設けているので、緊縛体１８はコロナシールド層１４に追従してスロットライナ１２と相対変位するため、スロットライナ１２とコロナシールド層１４の間に生じる圧縮応力や引っ張り応力を緩和させることができ、両者の損傷を防止することができる。
【００３６】
次に、本発明による回転電機の第３の参考例を、図６に示す電動機の固定子コイルのコイルエンド部に基づいて説明する。本参考例において、図１〜図５、図８、図９と同一符号は、同一構成部材を示すので、再度の詳細な説明は省略する。
【００３７】
上記各実施の形態及び各参考例と異なる点は、スロットライナ１２の端部を緊縛する専用の緊縛体を用いず、高抵抗コロナシールド層１５の端部１５Ｌをスロットライナ１２の端部まで延長させ、その端部１５Ｌでスロットライナ１２の端部を緊縛するように構成したことである。
【００３８】
このように、高抵抗コロナシールド層１５を緊縛体として機能させることで、第１の実施の形態と同様な効果を奏することができるほか、スロットライナ１２の端部が高抵抗コロナシールド層１５の端部１５Ｌで覆われているので、スロットライナ１２の端部とコロナシールド層１４との間に飛散異物が侵入するのを防止することができる。
【００３９】
尚、本参考例においても、高抵抗コロナシールド層１５とスロットライナ１２との接触部分に離型材を介在させて、両者間に作用する圧縮応力や引っ張り応力による損傷を防止するようにしてもよい。
【００４０】
次に、本発明による回転電機の第４の参考例を、図７に示す電動機の固定子コイルのコイルエンド部(スロットライナ端部)に基づいて説明する。本参考例において、図１〜図６、図８、図９と同一符号は、同一構成部材を示すので、再度の詳細な説明は省略する。
【００４１】
通常、スロットライナ１２の反り返しやうねりは、スロットライナ１２の端部における、特に、巻き終わりに発生することが散見される。そこで、本参考例においては、ウェッジ１３の端部を、スロットライナ１２の固定子鉄心５のスロット６から張出した端部、或いはそれ以上に延在させ、この延在させたウェッジ１３と固定子コイル７とでスロットライナ１２の巻き終わりを挟圧してスロットライナ１２とコロナシールド層１４を密着させ充電電流の流路を確保したものである。
【００４２】
このように構成することで、前記第１の参考例と同じように、スロットライナ１２の端部とコロナシールド層１４との密着性が向上し、従来において、部分接触していたことによって集中していた両者間を流れる充電電流を新たな流路に分散して流すことができ、その結果、充電電流の集中によるコロナシールド層１４の焼損を防止することができる。
【産業上の利用可能性】
【００４３】
以上の各説明は、回転電機として電動機を一例に説明したが、電動機に限らずタービン発電機やガスタービン発電機などの発電機にも適用できるのは勿論である。
【符号の説明】
【００４４】
１…電動機、２…回転子、３…固定子、４…回転軸、５…固定子鉄心、６…スロット、７…固定子コイル、７Ａ…直線部、７Ｂ…コイルエンド部、８…固定子枠、９…コイル導体、１０…主絶縁層、１１…絶縁材、１２…スロットライナ、１３…ウェッジ、１４…コロナシールド層、１５…高抵抗コロナシールド層、１５Ｌ…端部、１６…高周波電源、１７，１８…緊縛体、１９，２０…離型材。
【図１】
0005437836.tif 000002
【図２】
0005437836.tif 000003
【図３】
0005437836.tif 000004
【図４】
0005437836.tif 000005
【図５】
0005437836.tif 000006
【図６】
0005437836.tif 000007
【図７】
0005437836.tif 000008
【図８】
0005437836.tif 000009
【図９】
0005437836.tif 000010